(57)【要約】【課題】投影方向を変更できるプロジェクタを提供する。【解決手段】画像を生成する回路を収容し、底面を有するハウジング（１０１）と、画像の焦点を合わせるレンズ（１０２）と、ハウジング（１０１）の底面に連結する旋回台（１０５）を備えたプロジェクタ（１００）において、旋回台（１０５）が水平方向に旋回することで、レンズ（１０２）は画像の投影方向を変えることができる。【選択図】        図１
2005128523.tif 000002
【特許請求の範囲】
【請求項１】
画像を生成するように構成された回路を収容し、底面を有するハウジングと、
前記画像の焦点を合わせるように構成されるレンズと、
前記ハウジングの前記底面に連結された旋回台と、を備え、
前記レンズは、前記旋回台上で前記ハウジングを旋回させることによって水平平面で向きを変えられることを特徴とするプロジェクタ。
【請求項２】
前記レンズを含むレンズ筒と、
前記ハウジング上のレンズ案内部と、をさらに備え、
前記レンズ筒は、前記レンズ案内部に沿って移動し、前記レンズを垂直方向に位置決め可能に構成されていることを特徴とする請求項１に記載のプロジェクタ。
【請求項３】
前記ハウジングの前記旋回は電動式であることを特徴とする請求項１に記載のプロジェクタ。
【請求項４】
光ディスクを再生するための光ディスクドライブをさらに備えることを特徴とする請求項１に記載のプロジェクタ。
【請求項５】
前記ハウジング上に配置され、前記プロジェクタの機能を制御するための機能制御部をさらに備えることを特徴とする請求項１に記載のプロジェクタ。
【請求項６】
前記ハウジングは、前記水平平面において３６０度旋回するように構成されていることを特徴とする請求項１に記載のプロジェクタ。
【請求項７】
画像を生成するように構成された回路を収容するための球形状のハウジングと、
前記画像を投影するための前記球形状のハウジングに設けたレンズと、
前記球形状のハウジングを支持するための凹状土台部と、を備え、
前記レンズは、前記球形状のハウジングを前記凹状土台部に対して位置決めすることによって、所望の方向に向けられることを特徴とするプロジェクタ。
【請求項８】
前記プロジェクタの機能を制御するための機能制御部を前記ハウジング上にさらに備えることを特徴とする請求項７に記載のプロジェクタ。
【請求項９】
底面を有し、画像を生成するように構成された回路を収容するためのハウジングを設けることと、
旋回台を前記ハウジングの前記底面に連結することと、を含むことを特徴とするプロジェクタの製造方法。
【請求項１０】
画像を生成するように構成された回路を収容するために球形状のハウジングを設けることと、
前記球形状のハウジング内に前記画像の焦点を合わせるように構成されたレンズを設けることと、
前記ハウジングを凹状土台部で支持することと、を含むことを特徴とするプロジェクタの製造方法。
【発明の詳細な説明】
【技術分野】
【０００１】
本発明は投影方向を変えることのできるプロジェクタに関するものである。
【背景技術】
【０００２】
壁、スクリーン、ドア等の投影面に動画および／または静止画を投影することは、家庭内娯楽としてますます普及している。投影システムがより手に入れやすくなるにつれて、動画を見たり、静止画を見たり、ビデオゲームを楽しんだりすることは、家庭、学校その他の場所においてますます普及するであろう。
【発明の開示】
【発明が解決しようとする課題】
【０００３】
投影された画像をプロジェクタからの様々な方向に設けた投影面に表示されることができるように、プロジェクタを向けることがしばしば望まれる。たとえば、１つの例では、プロジェクタを壁に向けることが望まれ、他の例では、プロジェクタを天井に向けることが望まれる場合がある。しかし、現在のプロジェクタは、通常、定位置に固定されており、複数の方向に向けることはできない。
【０００４】
さらに、既存の多くのプロジェクタは、特に家庭内では大きくて邪魔になる場合もある。物理的に大きなプロジェクタは、使用していないときに保管するのが困難であるだけでなく、美観的にも良くないので居間などの小さなエリアでは邪魔になることがある。
【課題を解決するための手段】
【０００５】
プロジェクタであって、画像を生成するように構成された回路を収容し、底面を有するハウジングと、画像の焦点を合わせるように構成されるレンズと、ハウジングの底面に連結された旋回台と、を備える。レンズは、旋回台上でハウジングを旋回させることによって水平平面で向きを変える。
【発明を実施するための最良の形態】
【０００６】
添付の図面は、本発明の様々な実施形態を示し、本明細書の一部である。例示される実施形態は、本発明の単なる例であり、本発明の範囲を限定しない。
【０００７】
図面全体にわたって、同一の参照番号は、同様であるが、必ずしも同一であるとは限らない構成要素を指す。
【０００８】
本発明は、簡単に投影方向を変えることのできるレンズを有するプロジェクタである。以下の説明では、説明を目的として、本発明のシステムおよび方法を完全に理解してもらうために、多数の具体的な詳細を提示する。しかし、本発明のシステムおよび方法は、これらの具体的な詳細なしに実施されてもよいことは、当業者には明白である。本明細書における「１つの実施形態」または「ある実施形態」への言及は、その実施形態に関連して述べる特定の特徴、構造、または特性が、少なくとも１つの実施形態に含まれることを意味する。本明細書における様々な箇所において「１つの実施形態において」という記載があるが、これはすべてが必ずしも同じ実施形態を指すものではない。
【０００９】
図１は、複数の異なる方向に簡単に向けることができ、焦点を合わせることができる例示的なプロジェクタ（１００）を示す。以下の説明、および特許請求の範囲において言及されるように、「プロジェクタ」という用語は、動画または画像を投影面に投影するすべての表示デバイスを示す。図１の例示的なプロジェクタ（１００）は、ハウジング（１０１）、レンズ（１０２）、レンズ筒（１０３）、レンズ案内部（１０４）、および旋回台（１０５）を有する。以下、これらの構成要素のそれぞれについて、さらに詳細に説明する。
【００１０】
図１に示されるように、ハウジング（１０１）は、半球体の形状である。以下に説明されるように、半球体形状によって、レンズ（１０２）は、垂直に移動できる。しかし、ハウジング（１０１）の形状は、半球体形状に決して限定されない。たとえば、他の実施形態では、ハウジング（１０１）は楕円または立方体の形状であってもよい。ハウジング（１０１）は、プロジェクタ（１００）の内部構成要素（図示せず）を含み、保護する。内部構成要素は、決して限定はされないが、光源および画像媒体を含む。光源から放射される光は、画像媒体を通ってレンズ（１０２）に導かれ、その結果、画像媒体の画像は、レンズを通してプロジェクタ（１００）が向けられる投影面に投影される。画像媒体は、たとえば、スライド、フィルム、または電子画像データによって表示される電子表示デバイスであるが、これらに限られるものではない。ハウジング（１０１）は、１つの実施形態によると、耐衝撃性ポリマーから射出成形されるが、これに限られるものではない。
【００１１】
述べるように、図１のプロジェクタ（１００）はまた、画像または一連の画像を、画像媒体から投影面に投影するレンズ（１０２）を有する。レンズ（１０２）は、レンズ筒（１０３）に配置され、レンズ筒（１０３）の端部またはその付近に設けられている。図１に示されるように、レンズ筒（１０３）は、円筒形状であり、ハウジング（１０１）に取付けられる。レンズ筒（１０３）は、画像媒体とレンズ（１０２）との焦点距離をレンズ筒（１０３）の回転によって所定の制限内に調整することができるように、ハウジング（１０１）と係合するねじを切られている。すなわち、レンズ筒（１０３）を回転することで、画像媒体とレンズ（１０２）との焦点距離を調整することができる。
【００１２】
図１に示されるように、レンズ案内部（１０４）が設けられ、それに沿ってレンズ（１０２）およびレンズ筒（１０３）は移動することができる。これによって、レンズ（１０２）は、ハウジング（１０１）の土台部と一致するｘ−ｙ平面上方の任意の角度に向けることができる。基準ｘ、ｙ、ｚ座標系（１０６）が図１に示され、ｚ軸は、水平であるｘ−ｙ平面と垂直になっている。レンズ筒（１０３）は、レンズ（１０２）が０度と９０度との間の傾斜角を指すように、レンズ案内部（１０４）に沿って移動することができる。ここで、０度は、ｘ−ｙ平面（すなわち、水平平面）と平行な方向に対応し、９０度は、ｚ軸に水平で、ｘ−ｙ平面に垂直な方向に対応する。
【００１３】
たとえば、図１において、レンズ筒（１０３）は、ほぼ０度の傾斜角を示すように位置決めされている。比較として、図２は、ほぼ９０度の傾斜角を示すように移動されたレンズ筒（１０３）を有するプロジェクタ（１００）を示す。他の実施形態では（図示せず）、レンズ案内部（１０４）は、レンズ筒（１０３）が、水平平面（ｘ−ｙ平面）に対して０度と１８０度との間の傾斜角でレンズ筒（１３０）に沿って移動できるように、ハウジング（１０１）を完全なアーチ状としても良い。
【００１４】
図１に示されるように、レンズ案内部（１０４）は、１つの実施形態によると、ハウジング（１０１）と外側で連結され、レンズ筒（１０３）をレンズ案内部（１０４）に沿って摺動させる構造である。しかし、他の実施形態では、レンズ案内部（１０４）は、ハウジング（１０１）と一体化されてもよい。
【００１５】
レンズ筒（１０３）は、１つの実施形態によると、レンズ案内部（１０４）に沿って手動で移動することができる。他の実施形態では、プロジェクタ（１００）は、レンズ筒（１０３）を所定の位置に自動的に移動させるように構成してもよい。さらに他の実施形態では、レンズ筒（１０３）は、たとえば、モータ（１０９、図２）により動くように電動化されてもよく、ユーザは、プロジェクタ（１００）またはリモートコントロールユニット上の制御部を操作することによって、レンズ案内部（１０４）に沿ってレンズ筒（１０３）を移動させることができる。
【００１６】
レンズ（１０２）およびレンズ筒（１０３）の移動中および移動後、内部光源および画像媒体は、プロジェクタ（１００）が適切に機能することができるように、レンズ（１０２）に光学的に結合されたままでなければならない。これを達成するためのいくつかの方法がある。たとえば、画像媒体と、光源は、画像媒体が、レンズ筒（１０３）とともに移動し、レンズ（１０２）と常に光学的に結合されたままとなるように、レンズ筒（１０３）に連結された可動プラットフォーム上に配置される。あるいは、ミラーのシステムが、レンズ案内部（１０４）に沿ったレンズ筒（１０３）の位置に関係なく、画像媒体からの投影画像をレンズ（１２０）に導くように用いられてもよい。つまり、ミラーによって光を屈折させることでレンズ筒（１０３）の位置に関係なく、投影画像をレンズ（１２０）に導き、投影面に投影しても良い。または、光ファイバ−ケーブル等のフレキシブル光学伝達媒体（a flexible optical conduit）によって、レンズ案内部（１０４）に沿ったレンズ筒（１０３）の位置に関係なく、投影画像を画像媒体からレンズ（１０２）に伝達しても良い。
【００１７】
図１はまた、ハウジング（１０１）が、旋回台（１０５）の頂部に設けられることを示す。旋回台（１０５）は、レンズ（１０２）をｘ−ｙ平面における任意の方向に向けることができるように、中心軸（例えば、プロジェクタ（１００）のｚ軸方向の中心軸）を中心にプロジェクタ（１００）を３６０度旋回させることができる。したがって、プロジェクタ（１００）が部屋の真中に設けられる場合、プロジェクタ（１００）は、任意の方向に簡単に旋回することができ、レンズ（１０２）を部屋の任意の壁の投影面へ向けることができる。
【００１８】
図１に示されるように、旋回台（１０５）は、円形であり、ハウジング（１０１）の底部と同じ表面積である。しかし、サイズおよび円形形状は単に例示的なものである。旋回台（１０５）は、プロジェクタ（１００）をｘ−ｙ平面に旋回させることができる限り、任意の形状およびサイズであってもよい。プロジェクタ（１００）はまた、一旦、任意の望ましい位置に旋回した後に、プロジェクタ（１００）の位置を固定するための機構（図示せず）を有していてもよい。あるいは、移動防止機構（１０８、図２）を克服するのに最小量の力、すなわち移動防止機構（１０８、図２）のディテント力よりも大きい力が与えられない限り、旋回台（１０５）上のプロジェクタ（１００）の回転を防止する移動防止機構（１０８、図２）を有してもよい。上記のように、旋回台（１０５）上のプロジェクタ（１００）の回転は、手動で行われるか、または、たとえばモータ（１０９）で電動化され、プロジェクタ（１００）自体またはリモートコントロールユニット上の制御部で制御される。
【００１９】
したがって、図１に関連して記載される旋回台（１０５）およびレンズ案内部（１０４）を有するプロジェクタは、プロジェクタの半球領域に含まれる任意の半径方向に向けることができる。図１に示されるプロジェクタ（１００）は、旋回台（１０５）およびレンズ案内部（１０４）をともに有するが、本明細書に記載されるプロジェクタの様々な実施形態は、旋回台（１０５）のみを有していてもよく、またはレンズ案内部（１０４）のみを有していてもよいことに留意することが重要である。たとえば、図３におけるプロジェクタ（３００）は、旋回台（１０５）を有するが、レンズ案内部（１０４）を有さない。したがって、図３におけるプロジェクタ（３００）のレンズ筒（１０３）は、レンズ（１０２）がｘ−ｙ平面上方の任意の角度を指すように固定されており、移動できない。図３のプロジェクタ（３００）、または、その旋回台で旋回するだけの他の任意のプロジェクタは、レンズ（１０２）の垂直向きを調整する必要がない場合に用いることができる。
【００２０】
図４は、例示的な実施形態による、いくつかの構成要素を含むプロジェクタ（４００）を示す。図４におけるプロジェクタ（４００）は、図１のプロジェクタ（１００）と外観は同様である。図４に関連して述べる構成要素は、本明細書に記載されるプロジェクタのいずれかの一部であってもよいことは当業者に理解される。図４に示されるように、プロジェクタ（４００）はさらに、光ディスクドライブ（１４０）を有し、デジタル多用途ディスク（ＤＶＤ）、コンパクトディスク（ＣＤ）、またはビデオゲームディスクを再生するように構成する。プロジェクタ（１００）はまた、複数の機能制御部（１４１）を有する。これらの機能制御部（１４１）は、図４に示されるように、ボタンの形状であってもよく、パワー、音量、投影用オプション、投影角、姿勢、および他の機能を制御してもよい。プロジェクタ（４００）はまた、ネットワークケーブル用のポート（図示せず）、および／またはパーソナルコンピュータ用の接続部を有していてもよい。プロジェクタ（４００）は、電池で動作するか、壁に設けられたコンセントにプラグ接続されるか、または他の手段で電力が与えられてもよい。上記の任意の構成要素は、単にプロジェクタ（４００）の一部である多くの任意の構成要素の例である。
【００２１】
図５は、プロジェクタ（５００）が、図１に示されるように、レンズ案内部（１０４；図１）ではなく、旋回レンズ筒（１５０）を有する実施形態を示す。レンズ（１０２）は、旋回レンズ筒（１５０）に配置され、旋回レンズ筒（１５０）の端部またはその付近に設けられる。旋回レンズ筒（１５０）によって、ユーザは、レンズ（１５０）の水平および垂直向きを微細に調整することができる。以下、旋回レンズ筒（１５０）について、さらに詳細に説明する。
【００２２】
図５に示されるように、旋回レンズ筒（１５０）は、レンズ（１０２）と垂直な中心軸の周りの水平および垂直運動範囲を旋回レンズ筒（１５０）に与えるように、ハウジング（１０１）に連結されている。旋回レンズ筒（１５０）の運動範囲は、ハウジング（１０１）の構造によってのみ限定される。１つの実施形態では、旋回レンズ筒（１５０）は、レンズ（１０２）が、図５に示される旋回レンズ筒（１５０）の前方投影位置、つまりレンズ（１２０）が前方正面を向いている場合の中心軸（光軸）に対して、異なる水平投影角に向けることができるように、横方向、すなわち左右方向に水平に旋回することができる。水平投影角の度合いは、ハウジングの形状および構造によって制限される。換言すると、旋回レンズ筒（１５０）は、ハウジング（１０１）の構造が、旋回レンズ筒（１５０）をその方向にさらに旋回させないようにするまで、所定の側の水平方向に旋回することができる。限定的ではない例示的な旋回レンズ筒（１５０）の水平運動範囲は、旋回レンズ筒（１５０）の前方投影位置に対して、左および右に４５度である。使用されるプロジェクタ（５００）によっては、他の水平運動範囲とすることも可能である。
【００２３】
同様に、旋回レンズ筒（１５０）は、旋回レンズ筒（１５０）の垂直位置がその一部を形成するｘ−ｙ平面、つまりレンズ（１２０）の中心軸（光軸）を含んだｘ−ｙ平面に対して、異なる傾斜角に向けることができる。限定的ではない例示的な旋回レンズ筒（１５０）の垂直運動傾斜角の範囲は、旋回レンズ筒（１５０）の垂直位置がその一部を形成するｘ−ｙ平面、つまりレンズ（１２０）が前方正面を向いている場合の中心軸（光軸）を含んだｘ−ｙ平面に対して６０°上方向および６０°下方向である。使用される特定のプロジェクタ（５００）によっては、他の垂直運動範囲とすることも可能である。
【００２４】
以上により、プロジェクタ（５００）を例えば床などに配置した場合に、旋回レンズ筒（１５０）を水平方向、または垂直方向に動かすだけで、プロジェクタ（５００）の投影位置を変えることができる。
【００２５】
上記の実施形態と同様に、旋回レンズ筒（１５０）はまた、図５に示されるような球形状であってもよく、または旋回レンズ筒（１５０）の中心軸を中心に旋回する他の形状であってもよい。図５のプロジェクタ（５００）は、図４に関連して述べたさらなる構成要素および／または特徴部のいずれかを有していてもよい。
【００２６】
図６は、プロジェクタ（６００）が、半球状ハウジング（１０１；図１）の代わりに、球形状ハウジング（１６０）を有する他の実施形態を示す。球形状プロジェクタ（６００）はまた、複数の方向に簡単に向けられ、焦点を合わせることができる。図６に示されるように、球形状ハウジング（１６０）は、凹状土台部（１６１）に設けられている。凹状土台部（１６１）は、限定はされないが、ボウル型の形状である。１つの実施形態では、球形状ハウジング（１６０）は、凹状土台部（１６１）に永久に取付けられず、単に、載せられているだけである。プロジェクタ（６００）はさらに、球形状ハウジング（１６０）に連結した固定レンズ筒（１６２）を有する。固定レンズ筒（１６２）は、球形状ハウジング（１６０）に対して可動しない。したがって、プロジェクタ（６００）は、以下に述べるように、球形状ハウジング（１６０）全体を凹状土台部（１６１）に対して操作することによって投影方向を変えることができる。
【００２７】
図６に示される本発明の構成では、球形状ハウジング（１６０）は凹状土台部（１６１）には永久的に取付けられておらず、これによって、プロジェクタ（６００）のレンズ（１０２）は、レンズ（１０２）が所望される方向を向くように球形状ハウジング（１６０）を操作し、凹状土台部（１６１）に配置することによって、所望される方向に簡単に向けることができる。たとえば、レンズ（１０２）は、図６における水平方向を向いている。図７は、レンズ（１０２）が上方を向くように、凹状土台部（１６１）に配置された球形状ハウジング（１６０）を位置決めすることによって、レンズ（１０２）が垂直方向に向けられた状態を示す。１つの実施形態では、プロジェクタ（１００）はさらに、レンズ（１０２）が一旦所望される方向を向くと、プロジェクタ（１００）を凹状土台部（１６１）の定位置に固定するための機構を有する。
【００２８】
図１〜図７のプロジェクタは、テーブルの上、床、または他の適切な平坦面上に設置される。図８は、プロジェクタ（８００）が、プロジェクタ（８００）を垂直方向に支持する垂直スタンド（１８０）に連結されるか、またはその上に設置されることを示す。例えば、プロジェクタ（８００）は、図６の球形状のプロジェクタ（６００）と同様の球形状のプロジェクタである。垂直スタンド（１８０）は、凹状土台部（１６１）の底面から延びている。垂直スタンド（１８０）は、ユーザが、プロジェクタ（８００）の垂直方向の位置を調整できるように、高さが調整可能である。
【００２９】
図９は、例示的な実施形態による、天井（１９１）に取付けられ、シーリングプロジェクタとして用いられるプロジェクタ（９００）を示す。天井に取付けられることができるプロジェクタについては、単に説明のための記載である。しかし、当業者に認識されるように、シーリングプロジェクタ（９００）は、別法として、壁、または建物、家庭、もしくは屋外ユニットにおける他の構造体に取付けられてもよい。したがって「シーリング」という用語は、以下および特許請求の範囲において、特に説明のない限り、天井、壁、または建物、家庭もしくは屋外ユニットにおける他の構造を指すのに使用される。シーリングプロジェクタ（９００）は、本明細書に記載される１つまたは複数のプロジェクタと設計および機能が類似していてもよい。シーリングプロジェクタは、多くの設定において、目立つものではなく、投影面へ画像を投影する一般的な形態である。図９は、図１〜図５の例示的なプロジェクタと同様に、例示的なシーリングプロジェクタ（９００）が、旋回台（１０５）、レンズ（１０２）、レンズ筒（１０３）、および半球状のハウジング（１０１）を有することを示している。シーリングプロジェクタ（９００）は、図５のプロジェクタ（５００）と外観が同様である。しかし、シーリングプロジェクタ（９００）はまた、様々な例示的な実施形態においては、上記の他のプロジェクタ設計のいずれかと同様であってもよい。
【００３０】
テーブル、床、または垂直スタンドに配置される代わりに、シーリングプロジェクタの旋回台（１０５）は、図９に示されるように、天井（１９１）に取付けられる。旋回台（１０５）によって、プロジェクタ（９００）は、レンズ（１０２）がｘ−ｙ平面における任意の方向に向けられることができるように、中心軸を中心に３６０度旋回することができる。したがって、プロジェクタ（９００）が部屋の真中に設けられると、任意の方向に簡単に旋回することができ、レンズ（１０２）が部屋内の壁のいずれかの投影面を向くようにすることができる。シーリングプロジェクタ（９００）は、レンズ（１０２）を通して投影される画像が、投影面に対して適切に投影できるように構成されている。
【００３１】
図５のプロジェクタ（５００）のように、プロジェクタ（９００）は、中心軸の周りの水平及び垂直運動範囲がハウジング（１０１）の幾何学形状によってのみ限定され、ハウジング（１０１）に連結された旋回レンズ筒（１５０）を有してもよい。旋回レンズ筒（１５０）の動作は、図５に関連して上記で説明されており、ここでは繰り返さない。図示されない他の実施形態では、旋回レンズ筒（１５０）を有する代わりに、プロジェクタ（９００）は、図１のプロジェクタ（１００）と同様であり、レンズ筒（１０３；図１）がレンズ案内部（１０４、図１）に沿って摺動可能となるレンズ案内部（１０４、図１）を有する。さらに他の実施形態では、プロジェクタ（９００）は、旋回台（１０５）を有するが、旋回レンズ筒（１５０）を有さなくてもよい。
【００３２】
図１０は、例示的な実施形態によると、シーリングプロジェクタ（９００）がさらに、さらなる構成要素および特徴部分を有することを示す。たとえば、１つの実施形態では、シーリングプロジェクタ（９００）はさらに、部屋を照射するためのライト（１９２）を有する。ライト（１９２）は、ライトスイッチ、リモートコントローラ、または他の機構によって制御され、シーリングプロジェクタ（９００）が設けられている部屋または他の領域を照射するために用いることができる。シーリングプロジェクタ（９００）の向きもまた、いくつかの実施形態では、リモートコントローラによって制御されてもよい。
【００３３】
他の実施形態では、シーリングプロジェクタ（９００）はさらに、レンズが使用されていないときに、レンズ（１０２）を覆うレンズカバー（１９３）を有している。レンズカバー（１９３）は、プロジェクタ（９００）の電源が遮断されたとき、または待機モードのとき、レンズ（１０２）を自動的に覆うことができる。ライト（１９２）およびレンズカバー（１９３）は、シーリングプロジェクタ（９００）に関連して説明されるが、これらのさらなる特徴および構造は、本明細書に記載されるプロジェクタのいずれかに実施され得ることは当業者によって理解される。
【００３４】
図１１は、本明細書において記載されるように簡単に投影方向を変えることができるプロジェクタを製造するための限定的ではない例示的なプロセスを示すフローチャートである。まず、ハウジングが設けられるかまたは形成される（ステップ２１０）。ハウジングは、投影面に表示される画像を生成するために用いられる回路を収容する。ハウジングは底面を有する。次に、レンズ筒は、ハウジングに連結される（ステップ２１１）。レンズ筒は、投影面に画像の焦点を合わせることができるように構成されたレンズを有する。次に、旋回台は、ハウジングの底面に連結される（ステップ２１２）。レンズは、ハウジングを旋回台上で旋回させることによって、水平平面における任意の方向に向けられることができる。
【００３５】
図１１のフローチャートはまた、レンズの垂直方向を位置決めするレンズ案内部を、レンズが垂直方向に向けられるように、ハウジングおよびレンズ筒に連結される（ステップ２１３）ことを示す。
【００３６】
図１２は、他の実施形態による、簡単に投影方向を変更できるプロジェクタを製造するための限定的ではないさらなる例示的なプロセスを示すフローチャートである。まず、球形状のハウジングが設けられる（ステップ２２０）。球形状のハウジングは、投影面に表示される画像を生成するために用いられる回路を収容する。次に、凹状土台部に球形状のハウジングが連結される（ステップ２２１）。１つの実施形態では、球形状のハウジングは、凹状土台部に配置される。レンズを含むレンズ筒はまた、球形状のハウジングに連結される（ステップ２２２）。
【００３７】
上記の説明は、本発明の実施形態を示し、説明するためにのみ提示されている。これは、限定的ではなく、または開示される形態そのものに本発明を限定することを意図しない。多くの変更および変形は、上記の教示に照らして可能である。本発明の範囲は、特許請求の範囲によって規定される。
【図面の簡単な説明】
【００３８】
【図１】１つの例示的な実施形態による、複数の方向に簡単に投影し、焦点を合わせることが可能な例示的なプロジェクタを示す図である。
【図２】１つの例示的な実施形態による、約９０度の傾斜角の位置に移動されたレンズ筒を有するプロジェクタを示す図である。
【図３】１つの例示的な実施形態による、旋回台を有するがレンズ案内部を有さないプロジェクタを示す図である。
【図４】１つの例示的な実施形態による、いくつかの任意の構成要素を有するプロジェクタを示す図である。
【図５】１つの例示的な実施形態による、旋回レンズ筒を有するプロジェクタを示す図である。
【図６】１つの例示的な実施形態による、球形ハウジングを有するプロジェクタを示す図である。
【図７】１つの例示的な実施形態による、レンズが垂直方向に向けられるように、凹状土台部に位置決めされた球形ハウジングを有するプロジェクタを示す図である。
【図８】１つの例示的な実施形態による、プロジェクタを垂直方向に支持するための垂直スタンドに接続されたプロジェクタを示す図である。
【図９】１つの例示的な実施形態による、簡単に投影することができる例示的なシーリングプロジェクタを示す図である。
【図１０】１つの例示的な実施形態による、さらなる構成要素および特徴を有するシーリングプロジェクタを示す図である。
【図１１】１つの例示的な実施形態に従って簡単に投影方向を変更できるプロジェクタを製造するための例示的であり、限定的でないプロセスを示すフローチャートである。
【図１２】１つの例示的な実施形態に従って簡単に投影方向を変更できるプロジェクタを製造するためのさらなる例示的であるが限定的でないプロセスを例示するフローチャートである。
【符号の説明】
【００３９】
１００、３００、４００、５００、６００、８００、９００    プロジェクタ
１０１、１６０    ハウジング
１０２    レンズ
１０３、１５０、１６２    レンズ筒
１０４    レンズ案内部
１０５    旋回台
１６１    凹状土台部
１４１    機能制御部
【図１】
2005128523.tif 000003
【図２】
2005128523.tif 000004
【図３】
2005128523.tif 000005
【図４】
2005128523.tif 000006
【図５】
2005128523.tif 000007
【図６】
2005128523.tif 000008
【図７】
2005128523.tif 000009
【図８】
2005128523.tif 000010
【図９】
2005128523.tif 000011
【図１０】
2005128523.tif 000012
【図１１】
2005128523.tif 000013
【図１２】
2005128523.tif 000014